(57)【要約】  【課題】複数を上下重ねて移動させる際に、作業者の手によって支持される下側の容器に対して上側の容器が位置ズレするのを抑制することができる容器を提供するのを課題とする。  【解決手段】物品を収容可能な内部空間を形成する容器本体部を備えており、容器本体部は、上下方向に延びる容器側壁部と、該容器側壁部の下端部に連なる容器底部とを備え、容器側壁部と容器底部との間に前記内部空間が形成されており、容器側壁部は、前記内部空間を挟んで対向する一対の側壁対向部を備えており、該一対の側壁対向部は、内部空間側とは反対側の外面に、側壁凹部と傾斜部とを備えており、側壁凹部は、傾斜部から上方へ離間した位置で下向きに形成される下向内面を備えており、傾斜部は、一対の側壁対向部が対向する方向に対して傾斜する傾斜面、又は、上下方向に対して傾斜する傾斜面を備える。【選択図】  図１
2020142847.tif 000002
【特許請求の範囲】
【請求項１】
物品を収容可能な内部空間を形成する容器本体部を備えており、
容器本体部は、上下方向に延びる容器側壁部と、該容器側壁部の下端部に連なる容器底部とを備え、容器側壁部と容器底部との間に前記内部空間が形成されており、
容器側壁部は、前記内部空間を挟んで対向する一対の側壁対向部を備えており、
該一対の側壁対向部は、内部空間側とは反対側の外面に、側壁凹部と傾斜部とを備えており、
側壁凹部は、傾斜部から上方へ離間した位置で下向きに形成される下向内面を備えており、
傾斜部は、一対の側壁対向部が対向する方向に対して傾斜し上下方向に沿う傾斜面、又は、上下方向に対して傾斜する傾斜面を備える容器。
【請求項２】
傾斜面は、階段状に形成される請求項１に記載の容器。
【請求項３】
傾斜部は、対向する一対の傾斜面を備える請求項１又は２に記載の容器。
【請求項４】
傾斜部は、一対の傾斜面が凸状に配置されてなる請求項３に記載の容器。
【請求項５】
傾斜部は、一対の傾斜面が凹状に配置されてなる請求項３に記載の容器。
【請求項６】
一対の側壁対向部は、側壁凹部の底面に底面凹部を備えており、
傾斜部は、該底面凹部の内側に形成される請求項１乃至５の何れか一項に記載の容器。
【請求項７】
一対の側壁対向部が対向する方向に対して傾斜し上下方向に沿う傾斜面は、容器本体部の外側に向けて突出する突出部を備える請求項２乃至６の何れか一項に記載の容器。
【請求項８】
上下方向に対して傾斜する傾斜面は、上方へ向けて突出する突出部を備える請求項２乃至６の何れが一項に記載の容器。
【請求項９】
請求項１乃至８の何れか一項に記載の容器を上下に二つ重ねた状態で下側の容器を持ち上げることで、二つの容器を持ち上げて移動する容器の移動方法であって、
二つの容器を持ち上げた状態で、下側の容器の側壁凹部が備える下向内面に片手の親指以外の少なくとも一つの指を当接させると共に、上側の容器の容器側壁部が備える傾斜部に同じ片手の親指を当接させる容器の移動方法。
【発明の詳細な説明】
【技術分野】
【０００１】
本発明は、容器と、該容器の移動方法に関する。
【背景技術】
【０００２】
従来から、物品を収容可能な容器として、物品を収容可能な内部空間Ｒを形成する容器本体部を備えるものが用いられている。該容器本体部は、容器底部と、該容器底部から上方へ延びる容器側壁部とを備えており、容器底部と容器側壁部とによって囲まれた内部空間に物品を収容可能に構成されている。
【０００３】
このような容器は、作業者によって手で持ち上げられて移動される場合がある。具体的には、作業者の前側で、左右方向から両手で容器側壁部を挟み込んだ状態で、該容器を持ち上げ、所定の場所へ移動されることがある。この場合、容器側壁部の外面が平坦であると、左右方向から両手で容器側壁部を挟み込んだ際に、容器（具体的には、容器本体部）を上下方向で支えることが難しいため、作業性が悪い。そこで、容器側壁部の外面に、凹状の側壁凹部を形成し、該側壁凹部に作業者が指を引っかけることができるようにした容器が知られている（特許文献１参照）。
【０００４】
斯かる容器の側壁凹部には、容器底部から上方へ離間した位置で下方に向く下向内面が形成されている。これにより、下向内面に作業者の指を下方から当接させることができるため、上下方向において作業者の指に容器が係止されることになる。これにより、作業者の指が容器（具体的には、下向内面）に係止された状態で、作業者が容器を持ち上げることで、容器を安定して支持することができる。
【先行技術文献】
【特許文献】
【０００５】
【特許文献１】特開２０１８−０９０３１０号公報
【発明の概要】
【発明が解決しようとする課題】
【０００６】
ところで、上記のような容器を一度に複数移動させる場合もある。例えば、一つの容器の上に他の一つの容器を載置して一度に移動させる際には、下側の容器の容器側壁部に形成された側壁凹部の下向内面に作業者の指を係止させた状態にする。そして、斯かる状態において二つの容器を作業者の前側で持ち上げることで、二つの容器を一度に移動させることが可能となる。
【０００７】
しかしながら、上記のようにして、複数の容器を移動させる場合、下側の容器が作業者の手によって支持された状態で、上側の容器は、作業者の上半身によって後方から前方へ押圧された状態になり易い。このため、上側の容器は、下側の容器に対して、前方に位置ズレし易くなり、移動中に下側の容器の上から脱落する虞がある。
【０００８】
そこで、本発明は、複数を上下重ねて移動させる際に、作業者の手によって支持される下側の容器に対して上側の容器が位置ズレするのを抑制することができる容器、及び、該容器の移動方法を提供することを課題とする。
【課題を解決するための手段】
【０００９】
本発明に係る容器は、物品を収容可能な内部空間を形成する容器本体部を備えており、容器本体部は、上下方向に延びる容器側壁部と、該容器側壁部の下端部に連なる容器底部とを備え、容器側壁部と容器底部との間に前記内部空間が形成されており、容器側壁部は、前記内部空間を挟んで対向する一対の側壁対向部を備えており、該一対の側壁対向部は、内部空間側とは反対側の外面に、側壁凹部と傾斜部とを備えており、側壁凹部は、傾斜部から上方へ離間した位置で下向きに形成される下向内面を備えており、傾斜部は、一対の側壁対向部が対向する方向に対して傾斜し上下方向に沿う傾斜面、又は、上下方向に対して傾斜する傾斜面を備える。
【００１０】
斯かる構成によれば、二つの容器を上下に重ねて作業者が持ち上げる際に、下側の容器の容器側壁部が備える下向内面に片手の親指以外の少なくとも一つの指を当接させ、上側の容器の容器側壁部が備える傾斜部に同じ片手の親指を当接させる。これにより、親指を傾斜部に係止させることが可能になるため、上側の容器が下側の容器に対して位置ズレするのを抑制することができる。
なお、上下方向とは、垂直方向と、垂直方向に対して僅かに傾斜した方向を含むものである。
【００１１】
傾斜面は、階段状に形成されることが好ましい。
【００１２】
斯かる構成によれば、傾斜面が階段状に形成されることで、傾斜部に親指を係止させ易くなるため、上側の容器が下側の容器に対して位置ズレするのをより効果的に抑制することができる。
【００１３】
傾斜部は、対向する一対の傾斜面を備えることが好ましい。
【００１４】
斯かる構成によれば、傾斜部は、対向する一対の傾斜面を備える。これにより、一対の傾斜面の少なくとも一方に親指を係止させることが可能となるため、上側の容器が下側の容器に対して位置ズレするのをより効果的に抑制することができる。
【００１５】
傾斜部は、一対の傾斜面が凸状に配置されてなることが好ましい。
【００１６】
斯かる構成によれば、傾斜部は、一対の傾斜面が凸状に配置されてなることで、一対の傾斜面の対向方向において、上側の容器本体部の一方の側と他方の側とが入れ替わっても、一対の傾斜面の少なくとも一方に親指を係止させることが可能となる。このため、上側の容器本体部の向き（前記一方の側と他方の側との向き）に影響されることなく、上側の容器が下側の容器に対して位置ズレするのを効果的に抑制することができる。
【００１７】
傾斜部は、一対の傾斜面が凹状に配置されてなることが好ましい。
【００１８】
斯かる構成によれば、傾斜部は、一対の傾斜面が凹状に配置されてなることで、一対の傾斜面の対向方向において、上側の容器本体部の一方の側と他方の側とが入れ替わっても、一対の傾斜面の少なくとも一方に親指を係止させることが可能となる。このため、上側の容器本体部の向き（前記いっぽうの側と他方の側との向き）に影響されることなく、上側の容器が下側の容器に対して位置ズレするのを効果的に抑制することができる。
【００１９】
一対の側壁対向部は、側壁凹部の底面に底面凹部を備えており、傾斜部は、該底面凹部の内側に形成されることが好ましい。
【００２０】
斯かる構成によれば、傾斜部は、側壁凹部の底面に形成された底面凹部の内側に形成される。このため、傾斜部に当接させた親指によって、容器本体部の内側（内部空間側）へ力を入れ易くなる。これにより、親指を傾斜部により確実に係止させることができるため、上側の容器が下側の容器に対して位置ズレするのをより効果的に抑制することができる。
【００２１】
一対の側壁対向部が対向する方向に対して傾斜し上下方向に沿う傾斜面は、容器本体部の外側に向けて突出する突出部を備えることが好ましい。
【００２２】
斯かる構成によれば、上側の容器の容器側壁部が備える傾斜部に親指を当接させた際に、突出部に親指を当接させることが可能になるため、上側の容器本体部が下側の容器本体部に対して位置ズレするのをより効果的に抑制することができる。
【００２３】
上下方向に対して傾斜する傾斜面は、上方へ向けて突出する突出部を備えることが好ましい。
【００２４】
斯かる構成によれば、上側の容器の容器側壁部が備える傾斜部に親指を当接させた際に、突出部に親指を当接させることが可能になるため、上側の容器本体部が下側の容器本体部に対して位置ズレするのをより効果的に抑制することができる。
【００２５】
本発明に係る容器の移動方法は、上記何れかの容器を上下に二つ重ねた状態で下側の容器を持ち上げることで、二つの容器を持ち上げて移動する容器の移動方法であって、二つの容器を持ち上げた状態で、下側の容器の側壁凹部が備える下向内面に片手の親指以外の少なくとも一つの指を当接させると共に、上側の容器の容器側壁部が備える傾斜部に同じ片手の親指を当接させる。
【００２６】
斯かる構成によれば、二つの容器を上下に重ねて持ち上げる際に、下側の容器の側壁凹部が備える下向内面に片手の親指以外の少なくとも一つの指を当接させ、上側の容器の容器側壁部が備える傾斜部に同じ片手の親指を当接させる。これにより、親指が傾斜部に係止されるため、上側の容器が下側の容器に対して位置ズレするのを抑制することができる。
【発明の効果】
【００２７】
本発明に係る容器は、複数を上下重ねて移動させる際に、作業者の手によって支持される下側の容器に対して上側の容器が位置ズレするのを抑制することができる。
【図面の簡単な説明】
【００２８】
【図１】本発明の一実施形態に係る容器の構成を示した斜視図。
【図２】同実施形態に係る容器が備える側壁凹部の周辺を示した断面斜視図。
【図３】同実施形態に係る容器が備える傾斜部を示した斜視図。
【図４】同実施形態に係る容器が上下に重ねられた状態を左右方向に沿って見た図。
【図５】本発明の他の実施形態に係る容器が備える傾斜部を示した斜視図。
【図６】更に他の実施形態に係る容器が備える傾斜部を示した斜視図。
【図７】更に他の実施形態に係る容器が備える側壁凹部の周辺を示した断面斜視図。
【図８】（ａ）は、更に他の実施形態に係る容器が備える傾斜部を示した断面図、（ｂ）は、更に他の実施形態に係る容器が備える傾斜部を示した断面図。
【図９】（ａ）は、更に他の実施形態に係る容器が備える傾斜部を示した断面図、（ｂ）は、更に他の実施形態に係る容器が備える傾斜部を示した断面図。
【発明を実施するための形態】
【００２９】
以下、本発明に係る容器の実施形態について、図面を参照しつつ説明する。なお、以下の図面において同一又は相当する部分には同一の参照符号を付しその説明は繰り返さない。また、以下の説明において、上下方向とは、各図の座標軸におけるｘ軸に沿った方向であり、上下方向に交差する前後方向とは、各図の座標軸におけるｙ軸に沿った方向であり、上下方向及び前後方向に交差する左右方向とは、各図の座標軸におけるｚ軸に沿った方向である。
【００３０】
本実施形態に係る容器１は、図１に示すように、物品を収容可能な内部空間Ｒを形成する容器本体部２と、該容器本体部２に対して着脱可能に構成された蓋体部３とを備える。
【００３１】
容器本体部２は、上下方向に延びる容器側壁部２ａと、該容器側壁部２ａの下端部に連なる容器底部２ｂとを備える。そして、容器側壁部２ａと容器底部２ｂとの間に内部空間Ｒが形成される。また、容器本体部２は、内部空間Ｒを外側に（具体的には、上方へ）開放する開口部２ｃを有する。該開口部２ｃは、内部空間Ｒにおける物品の出し入れを可能にする。そして、開口部２ｃに蓋体部３が取り付けられることで内部空間Ｒが閉塞される。
【００３２】
容器本体部２及び蓋体部３のそれぞれは、発泡樹脂材を用いて形成することができる。発泡樹脂材としては、特に限定されるものではなく、例えば、ビーズ発泡法によって得られた発泡粒子を用いることができる。斯かる場合には、容器本体部２及び蓋体部３は、発泡粒子を型内成形することで形成される。発泡ビーズの材質としては、例えば、ポリスチレン等のスチレン系樹脂、ポリエチレン、ポリプロピレン等のオレフィン系樹脂等が挙げられる。ビーズの材質としては、より成形加工性に優れるという点で、スチレン系樹脂が好ましい。
【００３３】
ポリスチレン系樹脂は、スチレン系モノマーが重合してなるものである。該ポリスチレン系樹脂としては、汎用のポリスチレン系樹脂が挙げられ、例えばスチレン、メチルスチレン、エチルスチレン、イソプロピルスチレン、ジメチルスチレン、パラメチルスチレン、クロロスチレン、ブロモスチレン、ビニルトルエン、ビニルキシレン等のスチレン系モノマー１種の単独重合体、又はこれらスチレン系モノマー複数種の共重合体が挙げられる。また、スチレン−ブタジエン共重合体等が例示される。
【００３４】
容器側壁部２ａは、内部空間Ｒを挟んで対向する一対の側壁対向部２ａ１を備える。本実施形態では、一対の側壁対向部２ａ１は、左右方向において内部空間Ｒを挟んで対向する。つまり、本実施形態では、一対の側壁対向部２ａ１が対向する方向が左右方向となっている。また、一対の側壁対向部２ａ１は、内部空間Ｒ側とは反対側の外面に、側壁凹部２ｄと、傾斜部２ｅとを備える。
【００３５】
側壁凹部２ｄは、図２示すように、傾斜部２ｅから上方へ離間した位置で下向きに形成された下向内面２ｆを備える。該下向内面２ｆは、前後方向に延びるように形成される。また、側壁凹部２ｄは、下向内面２ｆの前後方向の両端部から下方へ延びる一対の対向面２ｇを備える。また、側壁凹部２ｄは、下向内面２ｆと一対の対向面２ｇとで囲まれた領域に底面２ｈを備える。そして、側壁凹部２ｄは、一対の対向面２ｇの下端部の間から容器本体部２の下方へ開放するように形成される。また、側壁凹部２ｄは、底面２ｈ（具体的には、底面２ｈの下端部）に、凹状に形成された底面凹部２ｉを備える。該底面凹部２ｉは、容器本体部２の下方へ開放するように形成される。
【００３６】
傾斜部２ｅは、側壁凹部２ｄの下向内面２ｆから下方へ離間した位置（具体的には、容器側壁部２ａの下端部）に形成される。また、傾斜部２ｅは、上下方向において下向内面２ｆと重なる領域に形成される。また、傾斜部２ｅは、側壁凹部２ｄの底面２ｈ（具体的には、底面２ｈの下端部）に形成される。具体的には、傾斜部２ｅは、底面２ｈに形成された底面凹部２ｉの内側に（具体的には、底面凹部２ｉの内側から突出しないように）形成される。また、側壁凹部２ｄ及び底面凹部２ｉが容器本体部２の下方へ開放することで、傾斜部２ｅの下端部は、容器本体部２の下方に露出する。また、下向内面２ｆから傾斜部２ｅの下端部までの上下方向に沿った距離としては、特に限定されるものではなく、例えば、５０ｍｍ以上２５０ｍｍ以下とすることができる。
【００３７】
傾斜部２ｅは、図３に示すように、左右方向（一対の側壁対向部２ａ１が対向する方向）に対して傾斜する傾斜面２ｅ１を備える。該傾斜面２ｅ１は、上下方向に沿って形成される。また、傾斜面２ｅ１は、階段状に形成される。
【００３８】
本実施形態では、傾斜部２ｅは、対向する一対の傾斜面２ｅ１を備える。具体的には、傾斜部２ｅは、第一傾斜面２ｅ２と、該第一傾斜面２ｅ２の後側に設けられる第二傾斜面２ｅ３とを備える。
【００３９】
第一傾斜面２ｅ２は、前側よりも後側の方が左右方向における容器本体部２の外側に位置する。換言すれば、第一傾斜面２ｅ２は、前方から後方へ向かうに従って左右方向における容器本体部２の外側へ傾斜する。
【００４０】
第二傾斜面２ｅ３は、前側よりも後側の方が左右方向における容器本体部２の内側（内部空間Ｒ側）に位置する。換言すれば、第二傾斜面２ｅ３は、前方から後方へ向かうに従って左右方向における容器本体部２の内側（内部空間Ｒ側）へ傾斜する。
【００４１】
また、傾斜部２ｅは、一対の傾斜面２ｅ１が凸状に配置されてなる。具体的には、第一傾斜面２ｅ２が第二傾斜面２ｅ３の前側に配置される。また、一対の傾斜面２ｅ１は（具体的には、第一傾斜面２ｅ２と第二傾斜面２ｅ３とは）、左右方向における容器本体部２の外側に位置する端部同士が連なる。つまり、本実施形態では、傾斜部２ｅは、左右方向における容器本体部２の外側に向かうに従って一対の傾斜面２ｅ１の間隔（具体的には、第一傾斜面２ｅ２と第二傾斜面２ｅ３との間隔）が狭くなるように（具体的には、全体として凸状に）形成される。
【００４２】
また、傾斜面２ｅ１の上下方向の両端間長さとしては、特に限定されるものではなく、例えば、３０ｍｍ以上１００ｍｍ以下とすることができる。また、階段状の傾斜面２ｅ１各段差の高さｈ１としては、特に限定されるものではなく、例えば、３ｍｍ以上１０ｍｍ以下とすることができる。
【００４３】
次に、上記のように構成される容器１を移動する方法について説明する。容器１を移動する際には、複数の容器１が上下に重ねられる。具体的には、図４に示すように、容器本体部２の開口部２ｃを閉塞するように蓋体部３が容器本体部２に取り付けられた状態で、一つの容器１の上に他の容器１が重ねられる。これにより、一つの容器本体部２と他の容器本体部２とが上下に重ねられた状態になる。そして、下側の容器本体部２が備える側壁凹部２ｄの下向内面２ｆに片手の親指以外の少なくとも一つの指（好ましくは、親指以外の全ての指）を当接させた状態にする。また、斯かる状態で上側の容器本体部２が備える傾斜部２ｅ（具体的には、第一傾斜面２ｅ２、又は、第二傾斜面２ｅ３）に同じ片手の親指を当接させる。
【００４４】
このように、親指以外の指が下側の容器１の下向内面２ｆに下方から当接し、親指が上側の容器１の傾斜部２ｅ（具体的には、第一傾斜面２ｅ２、又は、第二傾斜面２ｅ３）に当接した状態で、下側の容器１（具体的には、容器本体部２）を持ち上げることで、上下に重ねられた複数の容器１を移動させることができる。
【００４５】
以上のように、本発明に係る容器は、複数を上下重ねて移動させる際に、作業者の手によって支持される下側の容器に対して上側の容器が位置ズレするのを抑制することができる。
【００４６】
即ち、二つの容器１を上下に重ねて作業者が持ち上げる際に、下側の容器１の容器側壁部２ａが備える下向内面２ｆに片手の親指以外の少なくとも一つの指を当接させ、上側の容器１の容器側壁部２ａが備える傾斜部２ｅに同じ片手の親指を当接させる。これにより、親指を傾斜部２ｅに係止させることが可能になるため、上側の容器１が下側の容器１に対して位置ズレする（本実施形態では、前後方向に位置ズレする）のを抑制することができる。
【００４７】
また、第一傾斜面２ｅ２に親指を当接させることで、後方から前方へ向けて上側の容器１が押圧された際にも、第一傾斜面２ｅ２が押圧方向において親指に係止される。これにより、上側の容器１が下側の容器１に対して前方へ位置ズレするのをより効果的に抑制することができる。
【００４８】
また、傾斜面２ｅ１が階段状に形成されることで、傾斜部２ｅに親指を係止させ易くなるため、上側の容器１が下側の容器１に対して位置ズレするのをより効果的に抑制することができる。
【００４９】
また、傾斜部２ｅは、対向する一対の傾斜面２ｅ１を備える。これにより、一対の傾斜面２ｅ１の少なくとも一方に親指を係止させることが可能となるため、上側の容器１が下側の容器１に対して位置ズレするのをより効果的に抑制することができる。
【００５０】
また、傾斜部２ｅは、一対の傾斜面２ｅ１が凸状に配置されてなる（具体的には、第二傾斜面２ｅ３を第一傾斜面２ｅ２の後側に設ける）ことで、一対の傾斜面２ｅ１の対向方向において上側の容器本体部２の一方の側と他方の側とが入れ替わっても（具体的には、上側の容器本体部２の前後が入れ替わっても）、一対の傾斜面２ｅ１の少なくとも一方に親指を係止させることが可能となる。このため、上側の容器本体部２の向き（前後の向き）に影響されることなく、上側の容器１が下側の容器１に対して位置ズレするのを効果的に抑制することができる。
【００５１】
なお、本発明に係る容器は、上記実施形態に限定されるものではなく、本発明の要旨を逸脱しない範囲で種々の変更が可能である。また、上記及び下記の複数の実施形態の構成や方法等を任意に採用して組み合わせてもよい（１つの実施形態に係る構成や方法等を他の実施形態に係る構成や方法等に適用してもよい）ことは勿論である。
【００５２】
例えば、上記実施形態では、傾斜部２ｅは、一対の傾斜面２ｅ１が凸状に配置されている（具体的には、第一傾斜面２ｅ２の後側に第二傾斜面２ｅ３が配置されている）が、これに限定されるものではなく、例えば、図５に示すように、傾斜部２ｅは、一対の傾斜面２ｅ１が凹状に配置されてなるものであってもよい。
斯かる場合には、第二傾斜面２ｅ３が第一傾斜面２ｅ２の前側に配置される。また、一対の傾斜面２ｅ１は（具体的には、第一傾斜面２ｅ２と第二傾斜面２ｅ３とは）、容器本体部２の内側（内部空間Ｒ側）に位置する端部同士が連なる。つまり、本実施形態では、傾斜部２ｅは、左右方向における容器本体部２の外側に向かうに従って一対の傾斜面２ｅ１の間隔（具体的には、第一傾斜面２ｅ２と第二傾斜面２ｅ３との間隔）が広くなるように（具体的には、全体として凹状に）形成される。
【００５３】
斯かる構成によれば、傾斜部２ｅは、一対の傾斜面２ｅ１が凹状に配置されてなる（具体的には、第一傾斜面２ｅ２を第二傾斜面２ｅ３の後側に設ける）ことで、一対の傾斜面２ｅ１の対向方向において上側の容器本体部２の一方の側と他方の側とが入れ替わっても（具体的には、上側の容器本体部２の前後が入れ替わっても）、一対の傾斜面２ｅ１の少なくとも一方に親指を係止させることが可能となる。このため、上側の容器本体部２の向き（具体的には、前後の向き）に影響されることなく、上側の容器１が下側の容器１に対して位置ズレするのを効果的に抑制することができる。
【００５４】
また、上記の実施形態において、一対の傾斜面２ｅ１は、図６に示すように、左右方向における容器本体部２の外側に向けて突出する突出部２ｅ７を備えてもよい。
【００５５】
斯かる構成によれば、上側の容器１の容器側壁部２ａが備える傾斜部２ｅに親指を当接させた際に、突出部２ｅ７に親指を当接させることが可能になるため、上側の容器本体部２が下側の容器本体部２に対して位置ズレするのをより効果的に抑制することができる。
【００５６】
また、上記実施形態では、側壁凹部２ｄの内側（具体的には、底面２ｈ）に底面凹部２ｉが形成されているが、これに限定されるものではなく、例えば、底面凹部２ｉが形成されないように構成されてもよい。斯かる場合には、傾斜部２ｅは、底面２ｈから突出するように形成することができる。
【００５７】
また、上記実施形態では、傾斜部２ｅは、側壁凹部２ｄの内側に形成されているが、これに限定されるものではなく、例えば、図７に示すように、側壁凹部２ｄの外側に形成されてもよい。
【００５８】
また、上記実施形態では、傾斜部２ｅは、第一傾斜面２ｅ２と第二傾斜面２ｅ３とを備えるように構成されているが、これに限定されるものではなく、例えば、第一傾斜面２ｅ２のみ、又は、第二傾斜面２ｅ３のみを備えるように構成されてもよい。
【００５９】
また、上記実施形態では、傾斜部２ｅは、左右方向に対して傾斜し上下方向に沿う傾斜面２ｅ１を備えるように構成されているが、これに限定されるものではなく、例えば、図８，９に示すように、上下方向に対して傾斜する傾斜面２ｅ４（具体的には、一対の傾斜面２ｅ４）を備えるように構成されてもよい。該傾斜面２ｅ４は、階段状に形成される。
【００６０】
斯かる場合、一対の傾斜面２ｅ４のうちの一方である第一傾斜面２ｅ５の上側に他方である第二傾斜面２ｅ６が設けられる。
【００６１】
第一傾斜面２ｅ５は、上側よりも下側の方が左右方向における容器本体部２の外側に位置する。換言すれば、第一傾斜面２ｅ５は、上方から下方へ向かうに従って左右方向における容器本体部２の外側へ傾斜する。
【００６２】
第二傾斜面２ｅ６は、上側よりも下側の方が左右方向における容器本体部２の内側（内部空間Ｒ側）に位置する。換言すれば、第二傾斜面２ｅ６は、上方から下方へ向かうに従って左右方向における容器本体部２の内側（内部空間Ｒ側）へ傾斜する。
【００６３】
また、図８（ａ）に示すように、一対の傾斜面２ｅ４は（具体的には、第一傾斜面２ｅ５と第二傾斜面２ｅ６とは）、左右方向における容器本体部２の外側に位置する端部同士が連なるように構成されてもよい。つまり、左右方向における容器本体部２の外側に向かうに従って一対の傾斜面２ｅ４の間隔（具体的には、第一傾斜面２ｅ２と第二傾斜面２ｅ３との間隔）が狭くなるように（具体的には、全体として凸状となるように）一対の傾斜面２ｅ４の間隔（具体的には、第一傾斜面２ｅ２と第二傾斜面２ｅ３との間隔）が配置されてもよい。
【００６４】
また、図８（ｂ）に示すように、一対の傾斜面２ｅ４は（具体的には、第一傾斜面２ｅ５と第二傾斜面２ｅ６とは）、容器本体部２の内側（内部空間Ｒ側）に位置する端部同士が連なるように構成されてもよい。つまり、左右方向における容器本体部２の外側に向かうに従って一対の傾斜面２ｅ４の間隔（具体的には、第一傾斜面２ｅ２と第二傾斜面２ｅ３との間隔）が広くなるように（具体的には、全体として凹状となるように）一対の傾斜面２ｅ４（具体的には、第一傾斜面２ｅ２及び第二傾斜面２ｅ３）が配置されてもよい。
【００６５】
また、第一傾斜面２ｅ５は、図９（ａ）（ｂ）に示すように、上方に向けて突出する突出部２ｅ７’を備えてもよい。斯かる場合には、上側の容器１の容器側壁部２ａが備える傾斜部２ｅ（具体的には、第一傾斜面２ｅ５）に親指を当接させた際に、突出部２ｅ７’に親指を当接させることが可能になるため、上側の容器本体部２が下側の容器本体部２に対して位置ズレするのをより効果的に抑制することができる。
【００６６】
また、上記実施形態では、容器１は、容器本体部２と蓋体部３とを備えるように構成されているが、これに限定されるものではなく、例えば、容器本体部２のみを備えるように構成されてもよい。
【符号の説明】
【００６７】
１…容器、２…容器本体部、２ａ…容器側壁部、２ａ１…側壁対向部、２ｂ…容器底部、２ｃ…開口部、２ｄ…側壁凹部、２ｅ…傾斜部、２ｅ１，２ｅ４…傾斜面、２ｅ２，２ｅ５…第一傾斜面、２ｅ３，２ｅ６…第二傾斜面、２ｅ７，２ｅ７’…突出部、２ｆ…下向内面、２ｇ…対向面、２ｈ…底面、２ｉ…底面凹部、３…蓋体部、Ｒ…内部空間
【図１】
2020142847.tif 000003
【図２】
2020142847.tif 000004
【図３】
2020142847.tif 000005
【図４】
2020142847.tif 000006
【図５】
2020142847.tif 000007
【図６】
2020142847.tif 000008
【図７】
2020142847.tif 000009
【図８】
2020142847.tif 000010
【図９】
2020142847.tif 000011